(57)【要約】【課題】ノイズの遮蔽性能が優れた衛星信号用コンバータを提供する。【解決手段】衛星信号用コンバータは、ＩＣ１０等の電子部品が配置された回路基板３と、回路基板３を支持するためのシャーシ２１と、電子部品を覆うように形成されたフレーム２と、アース電極７とを備える。フレーム２は、隔壁部２ａを含む。電子部品は、隔壁部２ａに囲まれる空間に配置されている。アース電極７は、隔壁部２ａの端面と接触するように形成された接触部７ｃを含む。アース電極７は、回路基板３を貫通するように形成された貫通部を含む。シャーシ２１は、回路基板３と対向する面に規則的に形成された複数の凸部２１ａを有する。【選択図】図１
2008005461.tif 000002
【特許請求の範囲】
【請求項１】
電子部品が配置された回路基板と、
回路基板を支持するためのシャーシと、
前記電子部品を覆うように形成されたフレームと、
アース電極と
を備え、
前記フレームは、複数の仕切られた空間を形成するための隔壁部を含み、
前記電子部品は、前記隔壁部に囲まれる前記空間に配置され、
前記アース電極は、前記回路基板の前記電子部品が配置されている側の表面に配置され、前記隔壁部の端面と接触するように形成された接触部と、
前記回路基板を貫通するように形成された貫通部と
を含み、
前記シャーシは、前記回路基板と対向する面に規則的に形成された複数の凸部を有する、衛星信号用コンバータ。
【請求項２】
前記凸部は、断面形状が円弧状または四角形に形成されている、請求項１に記載の衛星信号用コンバータ。
【請求項３】
前記アース電極は、前記回路基板の前記電子部品が配置されている側と反対側の表面に配置され、平面状に形成された面状部を含み、
前記面状部は、前記シャーシに接触するように形成されている、請求項１に記載の衛星信号用コンバータ。
【請求項４】
電子部品が配置された回路基板と、
前記回路基板を支持するためのシャーシと、
前記電子部品を覆うように形成されたフレームと、
電波吸収体と
を備え、
前記フレームは、複数の仕切られた空間を形成するための隔壁部および天井部を含み、
前記電波吸収体は、前記空間の内部に配置され、
前記隔壁部および前記天井部のうち少なくとも一方は、内面に形成された複数の凹部を有する、衛星信号用コンバータ。
【請求項５】
電子部品が配置された回路基板と、
前記回路基板を支持するためのシャーシと、
前記電子部品を覆うように形成されたフレームと
を備え、
前記フレームは、複数の仕切られた空間を形成するための隔壁部を含み、
前記フレームは、前記隔壁部の外側に、前記回路基板を取り囲むように形成された外側壁部を含み、
前記シャーシは、前記外側壁部に沿って形成された切欠き部を有し、
前記フレームは、前記外側壁部の一部が前記切欠き部に挿入されている、衛星信号用コンバータ。
【請求項６】
前記外側壁部は、端面が前記切欠き部の内面から離れて配置されている、請求項５に記載の衛星信号用コンバータ。
【請求項７】
電子部品が配置された回路基板と、
前記回路基板を支持するためのシャーシと、
前記電子部品を覆うように形成されたフレームと
を備え、
前記フレームは、複数の仕切られた空間を形成するための隔壁部を含み、
前記シャーシは、表面から立設する第１の立設部を有し、
前記第１の立設部は、複数の前記隔壁部のうち最も外側の前記隔壁部の外側に配置され、
前記第１の立設部は、複数の前記隔壁部のうち最も外側の前記隔壁部に沿って形成され、
前記第１の立設部は、前記回路基板と前記フレームとの境界の位置よりも高くなるように形成されている、衛星信号用コンバータ。
【請求項８】
前記フレームは、平面状に形成された天井部を含み、
前記第１の立設部は、高さが前記天井部の外面とほぼ同じになるように形成されている、請求項７に記載の衛星信号用コンバータ。
【請求項９】
電子部品が配置された回路基板と、
前記回路基板を支持するためのシャーシと、
前記電子部品を覆うように形成されたフレームと
を備え、
前記フレームは、複数の仕切られた空間を形成するための隔壁部を含み、
前記フレームは、前記隔壁部の外側に、前記回路基板を取り囲むように形成された外側壁部を含み、
前記外側壁部は、先端に形成された溝状の挿入部を有し、
前記シャーシは、表面から立設する第２の立設部を有し、
前記第２の立設部は、前記挿入部に沿って形成され、
前記第２の立設部は、少なくとも一部が前記挿入部に挿入されている、衛星信号用コンバータ。
【請求項１０】
前記第２の立設部は、前記挿入部と離れて配置され、
前記外側壁部は、前記先端が前記シャーシの表面から離れて配置されている、請求項９に記載の衛星信号用コンバータ。
【請求項１１】
請求項１，４，５，７，９のいずれかに記載の衛星信号用コンバータと、
パラボラアンテナと
を備える、アンテナ装置。
【請求項１２】
請求項１１に記載のアンテナ装置と、
衛星放送用チューナと
を備える、衛星放送受信装置。
【請求項１３】
電子部品が配置された回路基板と、
前記回路基板を支持するためのシャーシと、
前記電子部品を覆うように形成されたフレームと
を備え、
前記フレームは、複数の仕切られた空間を形成するための隔壁部および天井部を含み、
前記隔壁部および前記天井部のうち少なくとも一方は、内面に形成された複数の突出部を有し、
複数の前記突出部は、互いに略同じ断面形状を有して規則的に配置されている、衛星信号用コンバータ。
【請求項１４】
前記突出部は、断面形状が半円または正三角形になるように形成されている、請求項１３に記載の衛星信号用コンバータ。
【請求項１５】
電子部品が配置された回路基板と、
回路基板を支持するためのシャーシと、
前記電子部品を覆うように形成されたフレームと、
アース電極と
を備え、
前記フレームは、複数の仕切られた空間を形成するための隔壁部を含み、
前記電子部品は、前記隔壁部に囲まれる前記空間に配置され、
前記アース電極は、前記回路基板の前記電子部品が配置されている側の表面に配置され、前記隔壁部の端面と接触するように形成された接触部を含み、
前記隔壁部は、前記アース電極に接触する端面に、前記アース電極に向かう突起部が形成され、
前記突起部は、前記端面が延びる方向に沿って複数形成されている、衛星信号用コンバータ。
【請求項１６】
前記突起部は、先端の前記断面形状が円弧状になるように形成されている、請求項１５に記載の衛星信号用コンバータ。
【請求項１７】
電子部品が配置された回路基板と、
回路基板を支持するためのシャーシと、
前記電子部品を覆うように形成されたフレームと、
アース電極と、
前記フレームと前記アース電極との間に配置されている介在部材と
を備え、
前記フレームは、複数の仕切られた空間を形成するための隔壁部を含み、
前記電子部品は、前記隔壁部に囲まれる前記空間に配置され、
前記アース電極は、前記回路基板の前記電子部品が配置されている側の表面に配置されている接触部を含み、
前記介在部材は、前記電子部品が発する電波を吸収するように形成され、
前記介在部材は、前記隔壁部の端面が延びる方向に沿って配置され、
前記介在部材は、前記接触部と前記隔壁部とに接触するように配置されている、衛星信号用コンバータ。
【請求項１８】
前記隔壁部は、前記アース電極に対向する端面に溝部を有し、
前記介在部材は、前記溝部に嵌め込まれている、請求項１７に記載の衛星信号用コンバータ。
【請求項１９】
電子部品が配置された回路基板と、
前記回路基板を支持するためのシャーシと、
前記電子部品を覆うように形成されたフレームと、
前記シャーシと前記フレームとの間の気密を形成するための封止部材と
を備え、
前記フレームは、複数の仕切られた空間を形成するための隔壁部を含み、
前記フレームは、前記隔壁部の外側に、前記回路基板を取り囲むように形成された外側壁部を含み、
前記封止部材は、前記外側隔壁部と前記シャーシとの間に配置され、
前記封止部材は、導電性部材が混入されている、衛星信号用コンバータ。
【請求項２０】
前記シャーシは、前記外側壁部に沿って形成された切欠き部を有し、
前記フレームは、前記外側壁部の一部が前記切欠き部に挿入されている、請求項１９に記載の衛星信号用コンバータ。
【請求項２１】
前記導電性部材は、カーボン粒子を含む、請求項１９に記載の衛星信号用コンバータ。
【請求項２２】
請求項１３，１５，１７，１９のいずれかに記載の衛星信号用コンバータと、
パラボラアンテナと
を備える、アンテナ装置。
【請求項２３】
請求項２２に記載のアンテナ装置と、
衛星放送用チューナと
を備える、衛星放送受信装置。
【発明の詳細な説明】
【技術分野】
【０００１】
本発明は、衛星信号用コンバータ、アンテナ装置および衛星放送受信装置に関する。
【背景技術】
【０００２】
衛星放送などの信号を受信するためには、アンテナ装置を備える衛星放送受信装置が用いられている。
【０００３】
図８に、一般的な衛星放送システムの概略図を示す。放送衛星３２からの到来信号は、衛星放送受信装置で受信される。衛星放送受信装置は、衛星放送用チューナ３３とアンテナ装置３５を備える。アンテナ装置３５は、パラボラアンテナ３１と衛星信号用コンバータとしてのＬＮＢ（Low Noise Block down）コンバータ３０とを含む。
【０００４】
放送衛星３２より発信された電波は、パラボラアンテナ３１の表面で反射してＬＮＢコンバータ３０で受信される。ＬＮＢコンバータ３０は、放送衛星３２から到来する微弱の電波の周波数を変換したり増幅したりする。
【０００５】
ＬＮＢコンバータ３０によって周波数の変換が行なわれた信号は、衛星放送用チューナ３３に送信される。衛星放送用チューナ３３は、信号の処理を行なってテレビジョン受像機３４に信号を送信する。テレビジョン受像機３４は、受信した信号に基づいて映像や画像を表示したり音声を出力したりする。
【０００６】
図９に、アンテナ装置の主要部の拡大斜視図を示す。アンテナ装置３５は、パラボラアンテナ３１およびＬＮＢコンバータ３０を備える。ＬＮＢコンバータ３０は、導波管１１を含む。ＬＮＢコンバータ３０は、導波管１１の先端に配置されたフィードホーン１３を含む。
【０００７】
パラボラアンテナ３１で反射した信号は、ＬＮＢコンバータ３０のフィードホーン１３および導波管１１を通って受信される。次に、ＬＮＢコンバータ３０の内部に配置された電気回路によって信号の変換が行なわれる。ＬＮＢコンバータの構成は、たとえば、特開２００４−１２０３４８号公報に開示されている。
【０００８】
特開平１１−１８６７７４号公報においては、ＬＮＢ回路基板を導電性構造体からなるシールドカバーで覆い、一次放射器のシャーシにねじで螺着して、ＬＮＢ回路基板を電磁的にシールドしたＬＮＢのシールド構造が開示されている。このシールド構造においては、シールドカバーとＬＮＢ回路基板の接地パターンの間に、接地パターンに合わせた形状の導電性ゴムを設けることが開示されている。
【０００９】
また、特開２０００−３６６７５号公報においては、外部筐体の底板上に回路基板を載置して内部筐体に固定し、内部筐体は、下面を開口した箱状に形成され、回路基板を間に介在してねじにより外部筐体に固定されている電子機器の筐体構造が開示されている。この筐体構造においては、内部筐体の回路基板に当接する先端部に突起を設けることが開示されている。
【００１０】
図２１に、従来の技術におけるＬＮＢコンバータの概略断面図を示す。ＬＮＢコンバータは、導波管１１と回路基板３とを備える。回路基板３の表面には、電子部品としてのチップ部品８、共振器９およびＩＣ（Integrated Circuit）１０などが配置されている。回路基板３の表面には、電気回路が形成されている。
【００１１】
回路基板３は、シャーシ４に固定されている。シャーシ４には、蓋部材１が固定されている。シャーシ４および蓋部材１でＬＮＢコンバータの本体の筐体が形成されている。図２１に示すＬＮＢコンバータは、回路基板３の表面に、それぞれの電子部品を覆うように形成されたフレーム２を備える。フレーム２は、隔壁部２ａおよび天井部２ｂを有する。
【００１２】
パラボラアンテナの表面で反射した電波は、導波管１１の内部を通って、図示しないアンテナプローブで受信され、回路基板３の表面に配置された電子部品によって周波数変換などの信号の処理が行なわれる。処理が行なわれた信号は、Ｆコネクタ（Ｆ接栓）５に出力される。Ｆコネクタ５には、衛星放送用チューナに信号を送信するためのケーブルが接続される。
【００１３】
回路基板３の表裏の表面には、アース電極７が形成されている。アース電極７は、シャーシ４と接触することにより接地されている。アース電極７は、フレーム２と接触している。
【００１４】
シャーシ４および蓋部材１とに囲まれる空間の内部において、蓋部材１の裏側には、不要電波（ノイズ）を吸収するための電波吸収体１２が配置されている。また、フレーム２と回路基板３とで囲まれる空間のうち、たとえば、ＩＣ１０が配置された空間には、電波吸収体１２が配置されている。これらの電波吸収体は、信号処理を行なう際に生じる不要電波を吸収するために配置されている。
【特許文献１】特開２００４−１２０３４８号公報
【特許文献２】特開平１１−１８６７７４号公報
【特許文献３】特開２０００−３６６７５号公報
【発明の開示】
【発明が解決しようとする課題】
【００１５】
図２１を参照して、たとえばＬＮＢコンバータのシャーシ４およびフレーム２は、アルミニウムを材料としてＡｌダイカスト（金型を用いた鋳造品）が用いられる。Ａｌダイカスト製品の表面には、微細なうねりや反りが存在する。このため、平坦面と考えられていた面においても、厳密には高さが０．１ｍｍ以下のうねりや反り等が存在する場合がある。
【００１６】
図２２は、従来の技術におけるＬＮＢコンバータの不具合を説明する概略断面図である。シャーシ４は、表面に小さなうねり等が残存する場合がある。たとえば、シャーシ４は、矢印４４に示すように、鋳造で製造されるときに生じるさまざまな向きの残留応力が存在している。これらの内部の残留応力のために、シャーシ４の表面に、小さなうねりや反りが発現する場合がある。このうねり等により、シャーシ４と回路基板３の表面に形成されたアース電極７との間に隙間が発現する場合がある。
【００１７】
シャーシ４とアース電極７との間に生じた隙間から不要な電波が漏洩する場合があった。この場合には、図２１に示すように、筐体の内部に電波吸収体１２を配置することにより、不要電波の外部への漏洩を防止していた。または、回路基板３の表面に配置された電子部品に対して悪影響を及ぼさないように、電子部品が閉じ込められたフレーム２の内部の空間に電波吸収体１２を配置していた。
【００１８】
このように、通常では平坦と考えられているシャーシの表面においても微細なうねりや反り等が発現している。特に、高周波やマイクロ波の電波に関しては、シャーシの表面のうねり等がノイズの漏洩の原因となるという問題があった。このノイズは、衛星信号用コンバータの電気的特性を悪化させるという問題があった。
【００１９】
本発明は、ノイズの遮蔽性能が優れた衛星信号用コンバータ、アンテナ装置および衛星放送受信装置を提供することを目的とする。
【課題を解決するための手段】
【００２０】
本発明に基づく衛星信号用コンバータは、電子部品が配置された回路基板と、回路基板を支持するためのシャーシと、上記電子部品を覆うように形成されたフレームと、アース電極とを備える。上記フレームは、複数の仕切られた空間を形成するための隔壁部を含む。上記電子部品は、上記隔壁部に囲まれる上記空間に配置されている。上記アース電極は、上記回路基板の上記電子部品が配置されている側の表面に配置され、上記隔壁部の端面と接触するように形成された接触部を含む。上記アース電極は、上記回路基板を貫通するように形成された貫通部を含む。上記シャーシは、上記回路基板と対向する面に規則的に形成された複数の凸部を有する。
【００２１】
上記発明において好ましくは、上記凸部は、断面形状が円弧状または四角形に形成されている。
【００２２】
上記発明において好ましくは、上記アース電極は、上記回路基板の上記電子部品が配置されている側と反対側の表面に配置され、平面状に形成された面状部を含む。上記面状部は、上記シャーシに接触するように形成されている。
【００２３】
本発明に基づく衛星信号用コンバータは、電子部品が配置された回路基板と、上記回路基板を支持するためのシャーシと、上記電子部品を覆うように形成されたフレームと、電波吸収体とを備える。上記フレームは、複数の仕切られた空間を形成するための隔壁部および天井部を含む。上記電波吸収体は、上記空間の内部に配置されている。上記隔壁部および上記天井部のうち少なくとも一方は、内面に形成された複数の凹部を有する。
【００２４】
本発明に基づく衛星信号用コンバータは、電子部品が配置された回路基板と、上記回路基板を支持するためのシャーシと、上記電子部品を覆うように形成されたフレームとを備える。上記フレームは、複数の仕切られた空間を形成するための隔壁部を含む。上記フレームは、上記隔壁部の外側に、上記回路基板を取囲むように形成された外側壁部を含む。上記シャーシは、上記外側壁部に沿って形成された切欠き部を有する。上記フレームは、上記外側壁部の一部が上記切欠き部に挿入されている。
【００２５】
上記発明において好ましくは、上記外側壁部は、端面が上記切欠き部の内面から離れて配置されている。
【００２６】
本発明に基づく衛星信号用コンバータは、電子部品が配置された回路基板と、上記回路基板を支持するためのシャーシと、上記電子部品を覆うように形成されたフレームとを備える。上記フレームは、複数の仕切られた空間を形成するための隔壁部を含む。上記シャーシは、表面から立設する第１の立設部を有する。上記第１の立設部は、複数の上記隔壁部のうち最も外側の上記隔壁部の外側に配置されている。上記第１の立設部は、複数の上記隔壁部のうち最も外側の上記隔壁部に沿って形成されている。上記第１の立設部は、上記回路基板と上記フレームとの境界の位置よりも高くなるように形成されている。
【００２７】
上記発明において好ましくは、上記フレームは、平面状に形成された天井部を含む。上記第１の立設部は、高さが上記天井部の外面とほぼ同じになるように形成されている。
【００２８】
本発明に基づく衛星信号用コンバータは、電子部品が配置された回路基板と、上記回路基板を支持するためのシャーシと、上記電子部品を覆うように形成されたフレームとを備える。上記フレームは、複数の仕切られた空間を形成するための隔壁部を含む。上記フレームは、上記隔壁部の外側に上記回路基板を取囲むように形成された外側壁部を有する。上記外側壁部は、先端に形成された溝状の挿入部を有する。上記シャーシは、表面から立設する第２の立設部を有する。上記第２の立設部は、上記挿入部に沿って形成されている。上記第２の立設部は、少なくとも一部が上記挿入部に挿入されている。
【００２９】
上記発明において好ましくは、上記第２の立設部は、上記挿入部と離れて配置されている。上記外側壁部は、上記先端が上記シャーシの表面から離れて配置されている。
【００３０】
本発明に基づく衛星信号用コンバータは、電子部品が配置された回路基板と、上記回路基板を支持するためのシャーシと、上記電子部品を覆うように形成されたフレームとを備える。上記フレームは、複数の仕切られた空間を形成するための隔壁部および天井部を含む。上記隔壁部および上記天井部のうち少なくとも一方は、内面に形成された複数の突出部を有する。複数の上記突出部は、互いに略同じ断面形状を有して規則的に配置されている。
【００３１】
上記発明において好ましくは、上記突出部は、断面形状が半円または正三角形になるように形成されている。
【００３２】
本発明に基づく衛星信号用コンバータは、電子部品が配置された回路基板と、回路基板を支持するためのシャーシと、上記電子部品を覆うように形成されたフレームと、アース電極とを備える。上記フレームは、複数の仕切られた空間を形成するための隔壁部を含む。上記電子部品は、上記隔壁部に囲まれる上記空間に配置されている。上記アース電極は、上記回路基板の上記電子部品が配置されている側の表面に配置され、上記隔壁部の端面と接触するように形成された接触部を含む。上記隔壁部は、上記アース電極に接触する端面に、上記アース電極に向かう突起部が形成されている。上記突起部は、上記端面が延びる方向に沿って複数形成されている。
【００３３】
上記発明において好ましくは、上記突起部は、先端の上記断面形状が円弧状になるように形成されている。
【００３４】
本発明に基づく衛星信号用コンバータは、電子部品が配置された回路基板と、回路基板を支持するためのシャーシと、上記電子部品を覆うように形成されたフレームと、アース電極と、上記フレームと上記アース電極との間に配置されている介在部材とを備える。上記フレームは、複数の仕切られた空間を形成するための隔壁部を含む。上記電子部品は、上記隔壁部に囲まれる上記空間に配置されている。上記アース電極は、上記回路基板の上記電子部品が配置されている側の表面に配置されている接触部を含む。上記介在部材は、上記電子部品が発する電波を吸収するように形成されている。上記介在部材は、上記隔壁部の端面が延びる方向に沿って配置されている。上記介在部材は、上記接触部と上記隔壁部とに接触するように配置されている。
【００３５】
上記発明において好ましくは、上記隔壁部は、上記アース電極に対向する端面に溝部を有する。上記介在部材は、上記溝部に嵌め込まれている。
【００３６】
本発明に基づく衛星信号用コンバータは、電子部品が配置された回路基板と、上記回路基板を支持するためのシャーシと、上記電子部品を覆うように形成されたフレームと、上記シャーシと上記フレームとの間の気密を形成するための封止部材とを備える。上記フレームは、複数の仕切られた空間を形成するための隔壁部を含む。上記フレームは、上記隔壁部の外側に、上記回路基板を取り囲むように形成された外側壁部を含む。上記封止部材は、上記外側隔壁部と上記シャーシとの間に配置されている。上記封止部材は、導電性部材が混入されている。
【００３７】
上記発明において好ましくは、上記シャーシは、上記外側壁部に沿って形成された切欠き部を有する。上記フレームは、上記外側壁部の一部が上記切欠き部に挿入されている。
【００３８】
上記発明において好ましくは、上記導電性部材は、カーボン粒子を含む。
本発明に基づくアンテナ装置は、上述の衛星信号用コンバータと、パラボラアンテナとを備える。
【００３９】
本発明に基づく衛星放送受信装置は、上述のアンテナ装置と、衛星放送用チューナとを備える。
【発明の効果】
【００４０】
本発明によれば、ノイズの遮蔽性能が優れた衛星信号用コンバータ、アンテナ装置および衛星放送受信装置を提供することができる。
【発明を実施するための最良の形態】
【００４１】
（実施の形態１）
図１から図３、図８および図９を参照して、本発明に基づく実施の形態１における衛星信号用コンバータ、アンテナ装置および衛星放送受信装置について説明する。本実施の形態における衛星信号用コンバータは、衛星放送を受信するための装置である。
【００４２】
図８に、一般的な衛星放送システムの概略図を示す。衛星放送システムは、放送衛星３２と、衛星放送受信装置とを備える。衛星放送受信装置は、衛星放送用チューナ３３とアンテナ装置３５を備える。アンテナ装置３５は、アンテナとしてのパラボラアンテナ３１と衛星信号用コンバータとしてのＬＮＢ（Low Noise Block down）コンバータ３０とを含む。
【００４３】
放送衛星３２からの電波は、パラボラアンテナ３１の表面で反射して、ＬＮＢコンバータ３０にて受信される。ＬＮＢコンバータ３０においては、周波数の変換や信号の増幅などが行なわれる。
【００４４】
ＬＮＢコンバータ３０によって周波数の変換が行なわれた信号は、衛星放送用チューナ３３に送信される。衛星放送用チューナ３３は、室内に配置され、信号の処理を行なってテレビジョン受像機３４に信号を送信する。テレビジョン受像機３４は、受信した信号に基づいて映像や画像を表示したり音声を出力したりする。このような、衛星放送システムの機器の構成については、従来の技術に基づく衛星放送システムと同様である。
【００４５】
図９に、アンテナ装置の主要部の概略斜視図を示す。アンテナ装置３５のパラボラアンテナ３１は、平面形状が円形になるように形成されている。パラボラアンテナ３１は、断面形状が、たとえば、円弧状に形成されている。パラボラアンテナ３１は、ＬＮＢコンバータ３０の先端に形成されたフィードホーン１３の内部で焦点が合うように形成されている。
【００４６】
衛星信号用コンバータとしてのＬＮＢコンバータ３０は、フィードホーン１３と導波管１１とを含む。パラボラアンテナ３１の表面で反射した電波は、フィードホーン１３に入射する。フィードホーン１３の内部に入射した電波は、導波管１１を伝って、ＬＮＢコンバータ３０の本体の内部に送られる。このように、ＬＮＢコンバータ３０は、フィードホーン１３がパラボラアンテナ３１の反射面と対向するように配置されている。
【００４７】
図１に、本実施の形態におけるＬＮＢコンバータの概略断面図を示す。本実施の形態におけるＬＮＢコンバータは、筐体としてのシャーシ２１および蓋部材１を備える。シャーシ２１および蓋部材１が組み合わせることにより筐体が形成されている。筐体は、箱型に形成されている。電波の周波数変換などを行なうための電気回路は、筐体の内部に配置されている。
【００４８】
本実施の形態におけるシャーシ２１は、回路基板３を支持するように形成されている。シャーシ２１は、導電性を有する材料で形成されている。本実施の形態におけるシャーシ２１は、アルミニウムで形成されている。
【００４９】
本実施の形態におけるＬＮＢコンバータは、電気回路が形成された回路基板３を備える。電気回路は、電子部品を含む。電子部品としては、共振器９、ＩＣ１０、およびチップ部品８などが配置されている。たとえば共振器９は、発振周波数を定めるための電子部品である。それぞれの電子部品は、たとえば、回路基板３の主面に形成された導体配線６に接続固定されている。それぞれの電子部品は、回路基板３の一方の主面に配置されている。それぞれの電子部品は、回路基板の主面のうち、シャーシ２１と対向する側と反対側の主面に配置されている。
【００５０】
本実施の形態におけるＬＮＢコンバータは、アース電極７を備える。アース電極７は、接地されている。アース電極７は、回路基板３の他方の主面に沿って平面状に形成された面状部７ａを含む。面状部７ａは板状に形成されている。面状部７ａは、回路基板３の主面のうち、共振器９などの電子部品が配置されている主面と反対側の主面に配置されている。面状部７ａは、シャーシ４に接触している。面状部７ａは、シャーシ４に電気的に接続されている。
【００５１】
アース電極７は、回路基板３を貫通するように形成された貫通部７ｂを有する。貫通部７ｂは、それぞれの電子部品が配置されている領域同士の間に配置されている。アース電極７は、回路基板の一方の主面に配置された接触部７ｃを有する。接触部７ｃは、それぞれの電子部品を取囲むように配置されている。接触部７ｃは、フレーム２と接触している。接触部７ｃは、フレーム２と電気的に接続されている。
【００５２】
本実施の形態におけるＬＮＢコンバータは、フレーム２を備える。フレーム２は、回路基板３の一方の主面に配置されている。フレーム２および回路基板３は、筐体の内部に配置されている。本実施の形態におけるフレーム２は、天井部２ｂと、複数の仕切られた空間を形成するための隔壁部２ａとを含む。天井部２ｂは、平面状に形成されている。共振器９などの電子部品は、隔壁部２ａおよび天井部２ｂに囲まれる空間に配置されている。
【００５３】
隔壁部２ａは、端面がアース電極７の接触部７ｃに接触している。隔壁部２ａは、端面がアース電極７と面接触するように形成されている。本実施の形態におけるＬＮＢコンバータは、シャーシ２１が接地されている。フレーム２は、アース電極７を介してシャーシ２１に電気的に接続されていることにより接地されている。
【００５４】
ＬＮＢコンバータは、導波管１１を備える。導波管１１は、シャーシ２１に固定されている。導波管１１は、内部が空洞になるように形成されている。導波管１１の内部には、電波を円偏光から直線偏光に変換するための変換用リブなどが配置されている（図示せず）。
【００５５】
本実施の形態におけるＬＮＢコンバータは、回路基板３の側方に配置されたＦコネクタ５を備える。Ｆコネクタ５は、回路基板に配置された電子部品と接続されている。Ｆコネクタ５は、シャーシ２１に固定されている。Ｆコネクタ５は、衛星放送用チューナに接続するためのケーブルと接続可能に形成されている。
【００５６】
導波管１１に入射した電波は、導波管１１を伝って図示しない受信用プローブで受信される。受信された信号は、回路基板３に形成されている電気回路に送られる。電子回路によって電気的な処理が行なわれ、回路基板３の側方に配置されているＦコネクタ５から出力される。
【００５７】
本実施の形態におけるシャーシ２１は、アース電極７の面状部７ａが接触する面に形成された凸部２１ａを有する。凸部２１ａは、回路基板３と対向する領域のうち、少なくとも一部の領域に配置されている。本実施の形態における凸部２１ａは、面状部７ａが接触する領域の全体に亘って形成されている。
【００５８】
図２に、シャーシとアース電極との接触部分の拡大概略断面図を示す。シャーシ２１の回路基板３と対向する面には、複数の凸部２１ａが形成されている。本実施の形態における凸部２１ａは、断面形状が円弧状に形成されている。凸部２１ａは、平面形状がほぼ円形になるように形成されている。凸部２１ａは、規則的に形成されている。本実施の形態における凸部２１ａは、平面視したときの直径が１ｍｍ以下になるように形成されている。
【００５９】
シャーシ２１の表面に凸部２１ａを形成することにより、シャーシ２１の製造時において、鋳造の際に残存する内部応力を、矢印４１に示すように分散させることができる。このため、シャーシ２１に生じるうねりや反り等を抑制することができる。シャーシ２１の凸部２１ａの頂部同士を含む面は平面状になり、回路基板３の反りやうねり等を抑制することができる。
【００６０】
したがって、フレーム２の隔壁部２ａとアース電極７の接触部７ｃとの間に隙間が発現することを抑制でき、ノイズの遮蔽性能に優れたＬＮＢコンバータを提供することができる。すなわち、ノイズが外部に漏れたり、外部からノイズが侵入したりすることを抑制できる。この結果、電気的特性が向上する。または、従来の技術においてフレームの内面や筐体の内面に配置されていた電波吸収体が不要になる。
【００６１】
本実施の形態における衛星信号用コンバータは、フレーム２の隔壁部２ａとアース電極７の接触部７ｃとを確実に接触させることができ、フレーム２を確実に接地することができる。または、シャーシ２１の凸部２１ａとアース電極７の面状部７ａとを確実に接触させることができ、フレーム２を確実に接地することができる。この結果、電気的特性が向上する。
【００６２】
本実施の形態においては、シャーシ２１の表面に形成される凸部は、断面形状が円弧状に形成されているが、この形態に限られず、任意の形状を採用することができる。
【００６３】
図３に、本実施の形態における他のシャーシの拡大概略断面図を示す。シャーシ２２は、凸部２２ａを有する。凸部２２ａは、断面形状が略長方形になるように形成されている。凸部２２ａは、直方体状に形成されている。シャーシ２２は、表面に格子状に溝が形成されることにより、凸部２２ａが形成されている。本実施の形態における凸部２２ａは、平面視したときの形状が四角形になるように形成されている。
【００６４】
本実施の形態における凸部２２ａの周りの溝部２２ｂは、断面形状が四角形になるように形成されている。溝部２２ｂは、幅が１ｍｍ、深さが０．５ｍｍ以下になるように形成されている。また、溝部２２ｂ同士の間隔が略５ｍｍになるように形成されている。
【００６５】
このような、断面形状が四角形の凸部２２ａを形成することによっても、矢印４２に示すように、内部応力を一定の向きに向けることができ、凸部２２ａの頂面を含む面を平坦にすることができる。
【００６６】
本実施の形態におけるシャーシは、鋳造を行なうときの金型に対応する部分を形成しておくことにより、容易に形成することができる。
【００６７】
本実施の形態におけるアンテナ装置は、上述のＬＮＢコンバータを備える。この構成により、ノイズの遮蔽能力に優れ、電気的特性に優れたアンテナ装置を提供することができる。
【００６８】
本実施の形態における衛星放送受信装置は、上述のアンテナ装置を備える。この構成により、ノイズの遮蔽能力に優れ、電気的特性に優れた衛星放送受信装置を提供することができる。
【００６９】
本実施の形態におけるシャーシは、Ａｌによって形成されているが、この形態に限られず、シャーシは鋳造で形成されていればよい。たとえば、シャーシは亜鉛（Ｚｎ）で形成されていても構わない。
【００７０】
本実施の形態においては、衛星信号用コンバータとしてＬＮＢコンバータを例に取上げて説明したが、この形態に限られず、任意の衛星信号用コンバータに本発明を適用することができる。たとえば、衛星通信の受信装置の衛星信号用コンバータに本発明を適用することができる。
【００７１】
（実施の形態２）
図４を参照して、本発明に基づく実施の形態２における衛星信号用コンバータ、アンテナ装置、および衛星放送受信装置について説明する。本実施の形態における衛星信号用コンバータは、ＬＮＢコンバータである。
【００７２】
図４は、本実施の形態におけるＬＮＢコンバータの回路基板の部分の拡大概略断面図である。回路基板３が、筐体の内部に配置されていることは、実施の形態１におけるＬＮＢコンバータと同様である。
【００７３】
本実施の形態におけるＬＮＢコンバータは、シャーシ４を備える。シャーシ４の表面は平面状に形成されている。本実施の形態におけるＬＮＢコンバータは、フレーム２０を備える。フレーム２０は、隔壁部２０ａと天井部２０ｂとを有する。隔壁部２０ａおよび天井部２０ｂで囲まれる空間には、共振器９などの電子回路のほかに、電波吸収体が配置されている（図示せず）。
【００７４】
天井部２０ｂの表面のうち、回路基板３に配置された電子部品に対向する面には凹部２０ｃが形成されている。凹部２０ｃは、規則的に複数形成されている。本実施の形態における凹部２０ｃは、断面形状が円弧状になるように形成されている。
【００７５】
フレーム２０の天井部２０ｂの内面に凹部が形成されていることにより、矢印４３で示すように、隔壁部２０ａおよび天井部２０ｂで囲まれる空間で不要電波が乱反射する。このため、電波吸収体の吸収効果を高めることができる。隔壁部２０ａおよび天井部２０ｂで囲まれる空間から不要電波が漏れることを減少させることができる。この結果、電気的特性を向上させることができる。
【００７６】
本実施の形態における凹部２０ｃは、平面視したときの直径が２ｍｍ以下になるように形成されている。また、凹部２０ｃの深さが１ｍｍ以下になるように形成されている。
【００７７】
本実施の形態においては、フレーム２０の天井部２０ｂの内面に凹部が形成されているが、この形態に限られず、隔壁部２０ａの内面に凹部が形成されていても構わない。また、凹部の形状は断面形状が円弧状に限られず、任意の形状を採用することができる。
【００７８】
本実施の形態におけるフレームを鋳造で製造するときには、鋳造における金型に対応する部分を形成することにより、容易に形成することができる。
【００７９】
その他の構成、作用および効果については実施の形態１と同様であるので、ここでは説明を繰返さない。
【００８０】
（実施の形態３）
図５を参照して、本発明に基づく実施の形態３における衛星信号用コンバータ、アンテナ装置、および衛星放送受信装置について説明する。本実施の形態における衛星信号用コンバータは、ＬＮＢコンバータである。
【００８１】
図５は、本実施の形態におけるＬＮＢコンバータの回路基板の端部の部分の概略断面図である。回路基板３が、筐体の内部に配置されていることは、実施の形態１におけるＬＮＢコンバータと同様である。回路基板３の表面に、電子部品としてのＩＣ１０などが配置されていることは、実施の形態１におけるＬＮＢコンバータと同様である。
【００８２】
本実施の形態におけるＬＮＢコンバータは、フレーム２４を備える。フレーム２４は、隔壁部２４ａ、天井部２４ｂを有する。フレーム２４は、隔壁部２４ａの外側に形成された外側壁部２４ｃを有する。外側壁部２４ｃは、回路基板３の端面の外側に配置されている。外側壁部２４ｃは、回路基板３を取囲むように形成されている。外側壁部２４ｃは、回路基板３の全周に亘って形成されている。
【００８３】
シャーシ２３は、外側壁部２４ｃに沿って形成された切欠き部２３ａを有する。切欠き部２３ａは、溝状に形成されている。切欠き部２３ａは、回路基板３の周りを取囲むように形成されている。外側壁部２４ｃは、一部が切欠き部２３ａに挿入されるように形成されている。外側壁部２４ｃは、端面が切欠き部２３ａの内面から離れて配置されている。外側壁部２４ｃは、先端が切欠き部２３ａの底面と接触しないように形成されている。
【００８４】
本実施の形態における切欠き部２３ａは、溝形状の幅が１．５ｍｍ以下、溝形状の深さａは、１．５ｍｍ以下になるように形成されている。また、外側壁部２４ｃと切欠き部２３ａの底面との隙間ｂは、０．５ｍｍ以下になるように形成されている。
【００８５】
本実施の形態におけるフレーム２４は、外側壁部２４ｃを含み、外側壁部２４ｃの一部が、シャーシ２３に形成された切欠き部２３ａに挿入されている。この構成により、隔壁部２４ａで囲まれる空間から外側に漏洩したノイズを、外側壁部２４ｃで遮蔽することができる。または、外部からの不要電波の侵入を防止することができる。この結果、電気的特性に優れたＬＮＢコンバータを提供することができる。または、ノイズの遮蔽性能が高まるため、従来の技術において筐体の内部に配置されていた電波吸収体を排除することができる。
【００８６】
本実施の形態においては、外側壁部２４ｃの端面が切欠き部２３ａの内面から離れて配置されている。この構成により、外側壁部２４ｃが切欠き部２３ａに接触して、フレーム２４が持ち上げられ、隔壁部２４ａとアース電極７の接触部７ｃとの間に隙間が生じることを抑制できる。
【００８７】
本実施の形態におけるシャーシおよびフレームを鋳造で製造するときには、鋳造における金型に対応する部分を形成することにより、容易に形成することができる。
【００８８】
その他の構成、作用および効果については、実施の形態１と同様であるのでここでは説明を繰返さない。
【００８９】
（実施の形態４）
図６を参照して、本発明に基づく実施の形態４における衛星信号用コンバータ、アンテナ装置、および衛星放送受信装置について説明する。本実施の形態における衛星信号用コンバータは、ＬＮＢコンバータである。
【００９０】
図６は、本実施の形態におけるＬＮＢコンバータの回路基板の端部の部分の概略断面図である。回路基板３が、筐体の内部に配置されていることは、実施の形態１におけるＬＮＢコンバータと同様である。回路基板３の表面に、電子部品としてのＩＣ１０などが配置されていることは、実施の形態１におけるＬＮＢコンバータと同様である。
【００９１】
本実施の形態におけるＬＮＢコンバータは、シャーシ２７を備える。シャーシ２７は、表面から立設する第１の立設部２７ａを有する。第１の立設部２７ａは、回路基板３が配置されているシャーシ２７の内面から突出するように形成されている。第１の立設部２７ａは、板状に形成されている。
【００９２】
第１の立設部２７ａは、フレーム２の隔壁部２ａのうち、最も外側の隔壁部２ａの外側に配置されている。第１の立設部２７ａは、最も外側の隔壁部２ａに沿うように形成されている。第１立設部２７ａは、回路基板３を取囲むように形成されている。第１の立設部２７ａは、回路基板３の全周に亘って形成されている。
【００９３】
第１の立設部２７ａは、隔壁部２ａの端面の位置よりも高くなるように形成されている。第１の立設部２７ａは、フレーム２の隔壁部２ａと回路基板３との境界部分よりも高くなるように形成されている。第１の立設部２７ａは、アース電極７の接触部７ｃが形成されている領域よりも高くなるように形成されている。本実施の形態における第１の立設部２７ａは、フレーム２の天井部２ｂの外面とほぼ同じ高さになるように形成されている。
【００９４】
シャーシ２７に第１の立設部２７ａを形成することにより、フレーム２の外側に漏洩した不要電波を遮蔽することができる。または、フレーム２の外部から内部に不要電波が侵入することを防止することができる。この結果、電気的特性を向上させることができる。
【００９５】
また、本実施の形態における第１の立設部は、フレームの天井部の外面とほぼ同じ高さになるように形成されている。この構成により、回路基板とフレームから出るノイズを確実に遮蔽することができる。
【００９６】
本実施の形態におけるシャーシを鋳造で製造するときには、鋳造における金型に対応する部分を形成することにより、容易に形成することができる。
【００９７】
その他の構成、作用および効果については、実施の形態１と同様であるのでここでは説明を繰返さない。
【００９８】
（実施の形態５）
図７を参照して、本発明に基づく実施の形態５における衛星信号用コンバータ、アンテナ装置、および衛星放送受信装置について説明する。本実施の形態における衛星信号用コンバータは、ＬＮＢコンバータである。
【００９９】
図７は、本実施の形態におけるＬＮＢコンバータの回路基板の端部の部分の概略断面図である。回路基板３が、筐体の内部に配置されていることは、実施の形態１におけるＬＮＢコンバータと同様である。回路基板３の表面に、電子部品としてのＩＣ１０などが配置されていることは、実施の形態１におけるＬＮＢコンバータと同様である。
【０１００】
本実施の形態におけるＬＮＢコンバータは、シャーシ２５を備える。シャーシ２５は、第２の立設部２５ａを含む。第２の立設部２５ａは、シャーシ２５の外側および内側の主面のうち回路基板３が配置されている主面に形成されている。第２の立設部２５ａは、板状に形成されている。第２の立設部２５ａは、回路基板３の外側に配置されている。
【０１０１】
本実施の形態におけるフレーム２６は、隔壁部２６ａと天井部２６ｂとを含む。フレーム２６は、外側壁部２６ｃを含む。外側壁部２６ｃは、複数の隔壁部２６ａのうち、最も外側に配置されている隔壁部２６ａの外側に配置されている。外側壁部２６ｃは、回路基板３の外側に形成されている。外側壁部２６ｃは、回路基板３を取囲むように形成されている。外側壁部２６ｃは、回路基板３の全周に亘って形成されている。
【０１０２】
フレーム２６は、外側壁部２６ｃの端部に形成された挿入部２６ｄを有する。挿入部２６ｄは、外側壁部２６ｃの端面に形成されている。挿入部２６ｄは、外側壁部２６ｃの先端に形成されている。挿入部２６ｄは、溝状に形成されている。本実施の形態においては、第２の立設部２５ａの一部が挿入部２６ｄに挿入されている。
【０１０３】
本実施の形態におけるＬＮＢコンバータは、フレーム２６に形成された挿入部２６ｄに、シャーシ２５に形成された第２の立設部２５ａが挿入されることにより、電子部品が配置された空間から外部に漏洩した不要電波を遮蔽することができる。また、外側から電子部品が配置された空間に不要電波が侵入することを防止することができる。
【０１０４】
本実施の形態においては、外側壁部２６ｃの先端（端面）と、シャーシ２５の主面とが接触しないように形成されている。この構成により、外側壁部２６ｃの端面とシャーシ２５の主面とが接触して、フレーム２６の隔壁部２６ａとアース電極７の接触部７ｃとの間に隙間が生じて、ノイズが漏洩することを防止できる。または、外部からノイズが侵入することを防止できる。外側壁部２６ｃの先端とシャーシ２５の主面との隙間ｃは、０．３ｍｍ以上０．５ｍｍ以下になるように形成されることが好ましい。
【０１０５】
本実施の形態においては、第２の立設部２５ａの頂面が、フレーム２６の挿入部２６ｄの内面に接触しないように形成されている。この構成により、製造誤差などにより、第２の立設部２５ａの頂面と挿入部２６ｄの内面とが接触して、フレーム２６の隔壁部２６ａとアース電極７の接触部７ｃとの間に隙間が生じて、ノイズが漏洩することを防止できる。または、外部からノイズが侵入することを防止できる。第２の立設部２５ａの頂面と挿入部２６ｄの内面との隙間ｄは、０．３ｍｍ以上０．５ｍｍ以下になるように形成されることが好ましい。
【０１０６】
本実施の形態におけるシャーシおよびフレームを鋳造で製造するときには、鋳造における金型に対応する部分を形成することにより、容易に形成することができる。
【０１０７】
その他の構成、作用および効果については、実施の形態１と同様であるのでここでは説明を繰返さない。
【０１０８】
（実施の形態６）
図１０から図１４を参照して、実施の形態６における衛星信号用コンバータ、アンテナ装置および衛星放送受信装置について説明する。本実施の形態における衛星信号用コンバータは、ＬＮＢコンバータである。
【０１０９】
図１０は、本実施の形態におけるフレームの概略下面図である。図１０は、フレームのＦ（フラット）面を平面的に見たときの図である。フレーム５１が、隔壁部５１ａを有し、隔壁部５１ａによって複数の仕切られた空間が形成されていることは、実施の形態１と同様である。導波管部５９には、導波管に対応する部分である。
【０１１０】
図１１に、本実施の形態におけるＬＮＢコンバータの概略断面図を示す。本実施の形態におけるＬＮＢコンバータは、フレーム５１を備える。フレーム５１は、隔壁部５１ａおよび天井部５１ｂを有する。隔壁部５１ａおよび天井部５１ｂにより、仕切られた空間が形成されている。この仕切られた空間に電子部品としての共振器９やＩＣ１０が配置されている。
【０１１１】
本実施の形態における隔壁部５１ａは、内面に形成された複数の突出部５１ｃを有する。複数の突出部５１ｃは、互いにほぼ同じ断面形状を有する。複数の突出部５１ｃは、規則的に配置されている。本実施の形態における突出部５１ｃは、断面形状が半円になるように形成されている。すなわち突出部５１ｃは、半球状になるように形成されている。
【０１１２】
図１２に、本実施の形態におけるＬＮＢコンバータのフレームの拡大概略断面図を示す。図１２は、隔壁部が立設する方向に垂直な平面で切断したときの断面図である。図１１および図１２を参照して、複数の突出部５１ｃは、それぞれの空間の内面に形成されている。突出部５１ｃは、互いに略同じ断面形状を有する。複数の突出部５１ｃは、規則的に配置されている。
【０１１３】
本実施の形態におけるＬＮＢコンバータにおいては、電子部品が配置されているそれぞれの空間に不要電波が侵入してきたとしても、突出部５１ｃが配置されている隔壁部５１ａの表面で不要電波を散乱させることができる。このため、局所的に不要電波が強くなることを抑制することができ、不要電波の漏洩を抑制することができる。または、電子部品が駆動することにより発振される不要電波の漏洩を抑制することができる。このように、隔壁部５１ａに複数の突出部５１ｃを形成することにより、不要電波を効果的に隔壁部５１ａおよび天井部５１ｂで囲まれる空間に閉じ込めることができ、不要電波の遮蔽能力が向上する。
【０１１４】
本実施の形態における突出部は、断面形状が半円になるように形成されている。この構成により、不要電波を等方的に散乱することができ、局所的に不要電波が強くなることをより効果的に抑制することができる。このため、不要電波の漏洩をより確実に抑制することができる。
【０１１５】
図１３に、本実施の形態における他のＬＮＢコンバータの概略断面図を示す。他のＬＮＢコンバータは、フレーム５２を備える。フレーム５２は、隔壁部５２ａを含む。フレーム５２は、天井部５２ｂを含む。他のＬＮＢコンバータにおいては、隔壁部５２ａの表面に、複数の突出部５２ｃが形成されている。突出部５２ｃは、断面形状が正三角形になるように形成されている。すなわち、突出部５２ｃは、正三角錐状に形成されている。
【０１１６】
図１４に、本実施の形態における他のＬＮＢコンバータのフレームの拡大概略断面図を示す。図１４は、隔壁部が立設する方向に垂直な平面で切断したときの断面図である。突出部５２ｃは、電子部品が配置されているそれぞれの空間に形成されている。
【０１１７】
本実施の形態における他のＬＮＢコンバータにおいても、隔壁部５２ａの内面に形成されている突出部５２ｃで不要電波を散乱させることができ、不要電波の漏洩を抑制することができる。フレーム５２で形成されるそれぞれの空間に不要電波を閉じ込めることができる。
【０１１８】
また、他のＬＮＢコンバータのフレーム５２の突出部５２ｃは、断面形状が正三角形になるように形成されている。この構成により、不要電波を等方的に散乱させることができ、より効果的に不要電波の漏洩を抑制することができる。
【０１１９】
本実施の形態におけるフレームは、たとえば、鋳造で製造するときに金型に突出部に対応する部分を形成することにより、容易に製造することができる。
【０１２０】
また、本実施の形態においては、フレームで仕切られる空間には、電波吸収体は配置されていないが、この形態に限られず、フレームで仕切られる空間に電波吸収体が配置されていても構わない。この構成により、それぞれの空間に存在する不要電波を吸収することができ、不要電波の漏洩を、より効果的に抑制することができる。
【０１２１】
本実施の形態においては、フレームの隔壁部に複数の突出部が形成されているが、この形態に限られず、隔壁部および天井部のうち少なくとも一方に複数の突出部が形成されていれば構わない。
【０１２２】
その他の構成、作用および効果については実施の形態１または２と同様であるのでここでは説明を繰返さない。
【０１２３】
（実施の形態７）
図１５から図１７を参照して、実施の形態７における衛星信号用コンバータ、アンテナ装置、衛星放送受信装置について説明する。本実施の形態における衛星信号用コンバータは、ＬＮＢコンバータである。
【０１２４】
図１５は、本実施の形態におけるＬＮＢコンバータの概略断面図である。本実施の形態におけるＬＮＢコンバータは、フレーム５３を備える。フレーム５３は、隔壁部５３ａを有する。フレーム５３は、天井部５３ｂを有する。隔壁部５３ａおよび天井部５３ｂにより、電子部品が配置される空間が形成されている。フレーム５３は、隔壁部５３ａがアース電極７の接触部７ｃに向かって押圧された状態で回路基板３に固定されている。
【０１２５】
図１６に、本実施の形態におけるフレームの拡大概略下面図を示す。本実施の形態におけるフレーム５３は、突起部５３ｃを有する。突起部５３ｃは、隔壁部５３ａの端面に形成されている。突起部５３ｃは、隔壁部５３ａがアース電極７に接触する面に形成されている。本実施の形態においては、複数の突起部５３ｃが形成されている。
【０１２６】
複数の突起部５３ｃは、隔壁部５３ａの端面が延びる方向に沿って複数形成されている。突起部５３ｃは、それぞれの隔壁部５３ａの幅よりも小さくなるように形成されている。突起部５３ｃは、隔壁部５３ａの幅に対応させた大きさで形成されている。
【０１２７】
図１７に、本実施の形態における突起部の部分の拡大概略断面図を示す。突起部５３ｃは、アース電極に向かって飛び出すように形成されている。突起部５３ｃは、先端の断面形状が円弧状になるように形成されている。突起部５３ｃは、先端が半球状になるように形成されている。
【０１２８】
本実施の形態における突起部５３ｃは、柱状に形成されている。突起部５３ｃは、円柱状に形成されている。突起部５３ｃは、平面視したときの直径が１ｍｍ以下になるように形成されている。突起部５３ｃは、高さが０．１ｍｍ以下になるように形成されている。
【０１２９】
本実施の形態におけるＬＮＢコンバータは、フレーム５３の隔壁部５３ａの端面に形成された突起部５３ｃが、アース電極７の接触部７ｃに圧接する。このため、フレーム５３とアース電極７との接触不良を抑制することができ、不要電波の漏出を抑制することができる。この結果、フレームのシールド効果を高めることができる。不要電波の遮蔽性能が向上する。
【０１３０】
本実施の形態においては、フレーム５３が回路基板３に向かって圧接することにより、回路基板３が部分的に撓む。このため、突起部５３ｃがアース電極７の接触部７ｃに食い込んで、フレーム５３とアース電極７との接触不良をより確実に抑制することができる。
【０１３１】
本実施の形態における突起部は、先端の断面形状が円弧状になるように形成されている。この構成により、アース電極に突起部が圧接されたときにアース電極と突起部との接触面積が大きくなる。この結果、不要電波の漏洩をより確実に抑制することができる。
【０１３２】
本実施の形態における突起部は、平面視したときの直径が１ｍｍ以下になるように形成されている。この構成により、突起部をアース電極に効果的に食い込ませることができ、突起部とアース電極とをより確実に接触させることができる。また、容易に突起部を形成することができる。さらに、突起部の平面視したときの直径は、０．０５ｍｍ以上０．１ｍｍ以下がより好ましい。
【０１３３】
本実施の形態における突起部５３ｃは、高さが０．１ｍｍ以下になるように形成されている。この構成により、突起部５３ｃをアース電極に効果的にくい込ませることができる。突起部が高すぎると、突起部の一部がアース電極の表面から浮いてしまい、隔壁部とアース電極との間に隙間が生じる場合がある。突起部５３ｃの高さを０．１ｍｍ以下にすることにより、隔壁部とアース電極との間に隙間が生じることを抑制できる。
【０１３４】
本実施の形態におけるフレームは、たとえば、金型を形成するときに、突起部に対応する部分を金型に形成することで、容易に製造することができる。
【０１３５】
本実施の形態における突起部は、柱状に形成されているが、この形態に限られず、突起部は任意の形状を採用することができる。たとえば、突起部は、半球状に形成されていても構わない。また、本実施の形態における突起部は、先端の断面形状が円弧状になるように形成されているが、この形態に限られず、突起部の先端の形状は任意の形状を採用することができる。
【０１３６】
本実施の形態においては、隔壁部の端面に突起部が１列で形成されているが、この形態に限られず、複数列の突起部が形成されていても構わない。また、本実施の形態における突起部は、互いに間隔をあけて形成されているが、この形態に限られず、突起部は互いに接するように形成されていても構わない。
【０１３７】
その他の構成、作用および効果については、実施の形態１または２と同様であるのでここでは説明を繰返さない。
【０１３８】
（実施の形態８）
図１８および図１９を参照して、実施の形態８における衛星信号用コンバータ、アンテナ装置、および衛星放送受信装置について説明する。本実施の形態における衛星信号用コンバータは、ＬＮＢコンバータである。
【０１３９】
図１８は、本実施の形態におけるＬＮＢコンバータの概略断面図である。本実施の形態におけるＬＮＢコンバータは、フレーム５４を備える。フレーム５４は、隔壁部５４ａを有する。フレーム５４は、天井部５４ｂを有する。
【０１４０】
本実施の形態におけるＬＮＢコンバータは、介在部材５６を有する。介在部材５６は、フレーム５４とアース電極７との間に配置されている。介在部材５６は、アース電極７の接触部７ｃと、隔壁部５４ａとに接触するように配置されている。介在部材５６は、隔壁部５４ａと接触部７ｃとに挟まれている。
【０１４１】
本実施の形態における介在部材５６は、電波を吸収するように形成されている。すなわち、本実施の形態における介在部材５６は、電波吸収体である。本実施の形態においては、隔壁部５４ａの端面に溝部５４ｃが形成されている。介在部材５６は、溝部５４ｃに配置されている。介在部材５６は、溝部５４ｃに嵌め込まれている。
【０１４２】
図１９に、本実施の形態におけるフレームの拡大概略下面図を示す。介在部材５６は、隔壁部５４ａの端面が延びる方向に沿って配置されている。介在部材５６は、それぞれの隔壁部５４ａの厚さよりも薄くなるように形成されている。
【０１４３】
本実施の形態におけるＬＮＢコンバータは、フレームの端面に介在部材を配置することにより、介在部材の部分で不要電波を吸収することができ、外部から不要電波が侵入することを抑制することができる。または、隔壁部で囲まれる空間の内部から不要電波が漏れることを抑制できる。この結果、不要電波の遮蔽性能が向上する。
【０１４４】
本実施の形態におけるＬＮＢコンバータは、フレームの隔壁部の端面に溝部を形成して、溝部に介在部材を配置することにより容易に製造できる。
【０１４５】
本実施の形態における介在部材は、隔壁部の端面に形成された溝部に嵌め込まれているこの構成により、介在部材と隔壁部との間に隙間が生じることを抑制することができ、より確実に不要電波の遮蔽を行なうことができる。
【０１４６】
その他の構成、作用および効果については、実施の形態１または２と同様であるのでここでは説明を繰返さない。
【０１４７】
（実施の形態９）
図２０を参照して、実施の形態９における衛星信号用コンバータ、アンテナ装置および衛星放送受信装置について説明する。本実施の形態における衛星信号用コンバータは、ＬＮＢコンバータである。
【０１４８】
図２０は、本実施の形態におけるＬＮＢコンバータの端部の拡大概略断面図である。本実施の形態におけるＬＮＢコンバータは、フレーム５５を備える。フレーム５５は、隔壁部５５ａを有する。フレーム５５は、天井部５５ｂを有する。フレーム５５は、外側壁部５５ｃを有する。外側壁部５５ｃは、隔壁部５５ａのうち最も外側の隔壁部５５ａの外側に配置されている。外側壁部５５ｃは、回路基板３の主面に対して立設するように形成されている。
【０１４９】
本実施の形態におけるＬＮＢコンバータは、シャーシ６１を備える。シャーシ６１は、切欠き部６１ａを有する。切欠き部６１ａは、フレーム５５の外側壁部５５ｃを挿入することができるように形成されている。シャーシ６１は、切欠き部６１ｂを有する。切欠き部６１ｂは、切欠き部６１ａの外側に形成されている。切欠き部６１ａは、外側壁部５５ｃに沿って形成されている。
【０１５０】
本実施の形態におけるＬＮＢコンバータは、シャーシ６１とフレーム５５との間の気密を形成するための封止部材としてシール剤６２を備える。シール剤６２は、外側壁部５５ｃとシャーシ６１との間に配置されている。シール剤６２は、切欠き部６１ｂの内部に充填されている。
【０１５１】
本実施の形態におけるシール剤６２は、導電性部材としての導電性粒子が混入されている。本実施の形態においては、シリコンシール剤にカーボン粒子が混入されている。フレーム５５は、外側壁部５５ｃの一部が切欠き部６１ａに挿入されている。
【０１５２】
本実施の形態におけるＬＮＢコンバータは、シャーシ６１とフレーム５５との間に封止部材が配置されているために、フレーム５５の内部の気密を保つことができる。さらに、シール剤に導電性部材が混入されているため、シール剤は、電波吸収体としての機能を有する。不要電波をシール剤６２で吸収することができ、不要電波の侵入や漏れを抑制することができる。この結果、不要電波の遮蔽効果が向上する。
【０１５３】
また、本実施の形態におけるフレーム５５は、外側壁部５５ｃの一部が、シャーシ６１の切欠き部６１ａに配置されている。この構成により、外側壁部で不要電波の侵入や漏れを抑制することができる。
【０１５４】
また、本実施の形態における導電性部材は、カーボン粒子を含む。この構成により、容易に封止部材に電波吸収の機能を持たせることができる。封止部材に混入する導電性部材の比率は、取り扱う電波の周波数、または回路基板に配置された電子部品から発振される不要電波の周波数に合わせて調整することが好ましい。
【０１５５】
その他の構成、作用および効果については、実施の形態１から３のいずれかと同様であるのでここでは説明を繰返さない。
【０１５６】
上記の実施の形態に係るそれぞれの図面において、同一または相当する部分には、同一の符号を付している。
【０１５７】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【０１５８】
【図１】実施の形態１におけるＬＮＢコンバータの概略断面図である。
【図２】実施の形態１におけるシャーシと回路基板との部分の拡大概略断面図である。
【図３】実施の形態１における他のシャーシと回路基板との部分の拡大概略断面図である。
【図４】実施の形態２におけるシャーシとフレームとの部分の拡大概略断面図である。
【図５】実施の形態３におけるシャーシとフレームとの部分の拡大概略断面図である。
【図６】実施の形態４におけるシャーシとフレームとの部分の拡大概略断面図である。
【図７】実施の形態５におけるシャーシとフレームとの部分の拡大概略断面図である。
【図８】衛星放送システムの概略図である。
【図９】アンテナ装置の主要部の斜視図である。
【図１０】実施の形態６におけるフレームの概略下面図である。
【図１１】実施の形態６におけるＬＮＢコンバータのシャーシとフレームとの部分の拡大概略断面図である。
【図１２】実施の形態６におけるＬＮＢコンバータのフレームの拡大概略断面図である。
【図１３】実施の形態６における他のＬＮＢコンバータのシャーシとフレームとの部分の拡大概略断面図である。
【図１４】実施の形態６における他のＬＮＢコンバータのフレームの拡大概略断面図である。
【図１５】実施の形態７におけるＬＮＢコンバータの概略断面図である。
【図１６】実施の形態７におけるフレームの拡大概略下面図である。
【図１７】実施の形態７におけるフレームの突起部の部分の拡大概略断面図である。
【図１８】実施の形態８におけるＬＮＢコンバータの概略断面図である。
【図１９】実施の形態８におけるフレームの拡大概略下面図である。
【図２０】実施の形態９におけるシャーシとフレームとの部分の拡大概略断面図である。
【図２１】従来の技術に基づくＬＮＢコンバータの概略断面図である。
【図２２】従来の技術に基づくＬＮＢコンバータのシャーシとフレームとの部分の拡大概略断面図である。
【符号の説明】
【０１５９】
１  蓋部材、２，２０，２４，２６  フレーム、２ａ，２０ａ，２４ａ，２６ａ  隔壁部、２ｂ，２０ｂ，２４ｂ，２６ｂ  天井部、３  回路基板、４，２１〜２３，２５，２７  シャーシ、５  Ｆコネクター（Ｆ接栓）、６  導体配線、７  アース電極、７ａ  面状部、７ｂ  貫通部、７ｃ  接触部、８  チップ部品、９  共振器、１０  ＩＣ、１１  導波管、１２  電波吸収体、１３  フィードホーン、２１ａ，２２ａ  凸部、２０ｃ  凹部、２２ｂ  溝部、２３ａ  切欠き部、２４ｃ，２６ｃ  外側壁部、２５ａ，２７ａ  立設部、２６ｄ  挿入部、３０  ＬＮＢコンバータ、３１  パラボラアンテナ、３２  放送衛星、３３  衛星放送用チューナ、３４  テレビジョン受像機、３５  アンテナ装置、４１〜４４  矢印、５１〜５５  フレーム、５１ａ，５２ａ，５３ａ，５４ａ，５５ａ  隔壁部、５１ｂ，５２ｂ，５３ｂ，５４ｂ，５５ｂ  天井部、５１ｃ，５２ｃ  突出部、５３ｃ  突起部、５４ｃ  溝部、５５ｃ  外側壁部、５６  介在部材、５９  導波管部、６１  シャーシ、６１ａ，６１ｂ  切欠き部、６２  シール剤。
【図１】
2008005461.tif 000003
【図２】
2008005461.tif 000004
【図３】
2008005461.tif 000005
【図４】
2008005461.tif 000006
【図５】
2008005461.tif 000007
【図６】
2008005461.tif 000008
【図７】
2008005461.tif 000009
【図８】
2008005461.tif 000010
【図９】
2008005461.tif 000011
【図１０】
2008005461.tif 000012
【図１１】
2008005461.tif 000013
【図１２】
2008005461.tif 000014
【図１３】
2008005461.tif 000015
【図１４】
2008005461.tif 000016
【図１５】
2008005461.tif 000017
【図１６】
2008005461.tif 000018
【図１７】
2008005461.tif 000019
【図１８】
2008005461.tif 000020
【図１９】
2008005461.tif 000021
【図２０】
2008005461.tif 000022
【図２１】
2008005461.tif 000023
【図２２】
2008005461.tif 000024